(57)【要約】【課題】主溝と交差する横溝の数を減らしつつ、排水性の低下及びパターンノイズの発生を抑制できる空気入りタイヤの提供【解決手段】本発明に係る空気入りタイヤ１は、タイヤ周方向Ｒに沿って延び、路面と接地する陸部１０と、陸部２０とを備え、陸部１０と、陸部２０の間にタイヤ周方向Ｒに沿って延びる主溝５０が形成された空気入りタイヤ１であって、陸部１０は、主溝５０を形成する溝壁１０ａを有し、陸部２０は、主溝５０を形成する溝壁２０ａを有し、溝壁１０ａ及び溝壁２０ａは、トレッド面視において、タイヤ周方向Ｒに沿って蛇行し、トレッド幅方向ＷTRに沿った主溝５０の溝幅は、タイヤ周方向Ｒに沿って所定の繰り返し周期で変化し、主溝は、トレッド部に少なくとも一対形成され、主溝５０における溝幅の最大幅部分Ｗ50MAXの位置は、主溝６０における最大幅部分Ｗ60MAXの位置とタイヤ周方向Ｒにおいて異なる。【選択図】図１
2010179895.tif 000002
【特許請求の範囲】
【請求項１】
タイヤ周方向に沿って延び、路面と接地する第１陸部と、
前記タイヤ周方向に沿って延び、前記路面と接地する第２陸部と
を備え、
前記第１陸部と前記第２陸部の間に前記タイヤ周方向に沿って延びる主溝が形成された空気入りタイヤであって、
前記第１陸部は、前記主溝を形成する第１溝壁を有し、
前記第２陸部は、前記主溝を形成する第２溝壁を有し、
前記第１溝壁及び前記第２溝壁は、トレッド面視において、前記タイヤ周方向に沿って蛇行し、
トレッド幅方向に沿った前記主溝の溝幅は、前記タイヤ周方向に沿って所定の繰り返し周期で変化し、
前記主溝は、トレッド部に少なくとも一対形成され、
一方の前記主溝における前記溝幅の最大幅部分WMAXの位置は、他方の前記主溝における前記最大幅部分WMAXの位置と前記タイヤ周方向において異なる空気入りタイヤ。
【請求項２】
前記溝幅の最小幅部分WMINと、前記溝幅の最大幅部分WMAXとの比WMIN/WMAXは、３５％〜８５％の範囲である請求項１に記載の空気入りタイヤ。
【請求項３】
一方の前記主溝における前記所定の繰り返し周期の開始点と、他方の前記主溝における前記所定の繰り返し周期の開始点とは、前記所定の繰り返し周期の半周期ずれている請求項１または２に記載の空気入りタイヤ。
【請求項４】
一方の前記主溝における前記最大幅部分WMAXの位置は、他方の前記主溝における前記最小幅部分WMINの位置と前記タイヤ周方向において略同一である請求項１または２に記載の空気入りタイヤ。
【請求項５】
前記第１溝壁及び前記第２溝壁は、前記トレッド幅方向に沿って所定の振幅を有し、前記所定の繰り返し周期は、前記所定の振幅の１５倍〜１００倍である請求項１乃至４の何れか一項に記載の空気入りタイヤ。
【請求項６】
前記主溝は、前記最大幅部分WMAXを含む幅広溝部を形成し、
前記主溝の底部には、タイヤ径方向外側に向かって隆起する隆起部が形成され、
前記隆起部は、前記幅広溝部に形成される請求項１乃至５の何れか一項に記載の空気入りタイヤ。
【請求項７】
前記第１溝壁と対向する前記隆起部の第１側部は、前記第１溝壁に沿って延びるとともに、
前記第２溝壁と対向する前記隆起部の第２側部は、前記第２溝壁に沿って延びる請求項６に記載の空気入りタイヤ。
【請求項８】
前記隆起部は、前記トレッド面視において、前記隆起部の前端部分及び後端部分に行くに連れて細くなる請求項７に記載の空気入りタイヤ。
【請求項９】
前記隆起部の高さは、前記主溝の深さ未満である請求項６乃至８の何れか一項に記載の空気入りタイヤ。
【発明の詳細な説明】
【技術分野】
【０００１】
本発明は、タイヤ周方向に沿って延びる主溝が形成された空気入りタイヤに関し、特に、排水性の低下を抑制した空気入りタイヤに関する。
【背景技術】
【０００２】
従来、空気入りタイヤでは、ハイドロプレーニングを抑制するため、路面とトレッドとの間に入り込んだ水の排水性を向上させる様々な方法が用いられている。例えば、タイヤ周方向に沿って設けられた主溝の溝壁に、トレッド面視において流線型である窪みを形成する方法が知られている（例えば、特許文献１）。このような空気入りタイヤによれば、主溝内を流れる水の乱流を抑制でき、排水性が向上する。
【先行技術文献】
【特許文献】
【０００３】
【特許文献１】特開２００６−２０５８２４号公報（第５頁、第１図）
【発明の概要】
【発明が解決しようとする課題】
【０００４】
しかしながら、上述した従来の空気入りタイヤには、次のような問題があった。すなわち、主溝によって区画される陸部、具体的にはブロックの剛性を向上させるため、主溝と交差する横溝の数を減らすと、排水性が低下し、ハイドロプレーニングが発生し易くなる問題がある。
【０００５】
また、上述した従来の空気入りタイヤのように、排水性を向上させるために主溝の形状を複雑にすると、空気入りタイヤに振動が発生し、空気入りタイヤから発生するパターンノイズが増大し易くなる問題もある。
【０００６】
そこで、本発明は、主溝と交差する横溝の数を減らしつつ、排水性の低下及びパターンノイズの発生を抑制できる空気入りタイヤの提供を目的とする。
【課題を解決するための手段】
【０００７】
上述した課題を解決するため、本発明は、次のような特徴を有している。まず、本発明の第１の特徴は、タイヤ周方向（タイヤ周方向Ｒ）に沿って延び、路面と接地する第１陸部（例えば、陸部１０）と、タイヤ周方向に沿って延び、前記路面と接地する第２陸部（例えば、陸部２０）とを備え、第１陸部と第２陸部の間にタイヤ周方向に沿って延びる主溝（例えば、主溝５０）が形成された空気入りタイヤ（例えば、空気入りタイヤ１）であって、第１陸部は、主溝を形成する第１溝壁（例えば、溝壁１０ａ）を有し、第２陸部は、主溝を形成する第２溝壁（例えば、溝壁２０ａ）を有し、第１溝壁及び第２溝壁は、トレッド面視において、タイヤ周方向に沿って蛇行し、トレッド幅方向（トレッド幅方向ＷTR）に沿った主溝の溝幅は、タイヤ周方向に沿って所定の繰り返し周期（例えば、周期λ）で変化し、主溝は、トレッド部に少なくとも一対形成され、一方の主溝における溝幅の最大幅部分WMAX（例えば、最大幅部分Ｗ50MAX）の位置は、他方の主溝（例えば、主溝６０）における最大幅部分WMAX（例えば、最大幅部分Ｗ60MAX）の位置とタイヤ周方向において異なることを要旨とする。
【０００８】
このような空気入りタイヤによれば、主溝内には、第１溝壁及び第２溝壁に沿った水の流れである流線が発生する。第１溝壁及び第２溝壁に沿って流れる水は、最大幅部分WMAXを通過後、主溝の溝幅の減少に伴い、最小幅部分ＷMINにおいて流線の延長線方向へ排水される。
【０００９】
このような空気入りタイヤによれば、トレッド幅方向の主溝の溝幅は、所定の繰返し周期で変わるため、主溝内を流れる水の流れは、所定の繰返し周期でトレッド幅方向の幅が変わる。
【００１０】
つまり、主溝内の水は、所定の繰返し周期で脈動し、最小幅部分ＷMINにおいて、流線の延長線方向へ排水される。このため、空気入りタイヤは、主溝内を流れる水を周期的に主溝の外側に排水できる。
【００１１】
このような空気入りタイヤによれば、一方の主溝及び他方の主溝が、トレッドに対に形成され、一方の主溝の最大幅部分WMAXの位置は、他方の主溝の最大幅部分WMAXの位置とタイヤ周方向において異なるため、一方の主溝及び他方の主溝において、溝幅が変化することに伴う振動の発生をタイヤ周方向にずらすことができる。このため、空気入りタイヤ全体では、振動の発生を低減し、パターンノイズの発生を抑制できる。
【００１２】
従って、このような空気入りタイヤによれば、主溝と交差する横溝の数を減らしつつ、排水性の低下及びパターンノイズの発生を抑制できる。
【００１３】
本発明の第２の特徴は、本発明の第１の特徴に係り、溝幅の最小幅部分WMIN（例えば、最小幅部分Ｗ50MIN）と、溝幅の最大幅部分WMAX（例えば、最大幅部分Ｗ50MAX）との比Ｗ50MIN/Ｗ50MAXは、３５％〜８５％の範囲であることを要旨とする。
【００１４】
本発明の第３の特徴は、本発明の第１又は２の特徴に係り、一方の主溝における所定の繰り返し周期の開始点と、他方の主溝における所定の繰り返し周期の開始点とは、所定の繰り返し周期の半周期ずれていることを要旨とする。
【００１５】
本発明の第４の特徴は、本発明の第１又は２の特徴に係り、一方の主溝における最大幅部分WMAXの位置は、他方の主溝における最小幅部分WMINの位置とタイヤ周方向において略同一であることを要旨とする。
【００１６】
本発明の第５の特徴は、本発明の第１乃至４の特徴の何れかに係り、第１溝壁及び第２溝壁は、トレッド幅方向に沿って所定の振幅（振幅ａ）を有し、所定の繰り返し周期は、所定の振幅の１５倍〜１００倍であることを要旨とする。
【００１７】
本発明の第６の特徴は、本発明の第１乃至５の特徴の何れかに係り、主溝は、最大幅部分WMAXを含む幅広溝部（幅広部５０Ａ）を形成し、主溝の底部（底部５０btm）には、タイヤ径方向外側に向かって隆起する隆起部隆起部７０が形成され、隆起部は、幅広溝部に形成されることを要旨とする。
【００１８】
本発明の第７の特徴は、本発明の第６の特徴に係り、第１溝壁と対向する隆起部の第１側部（側部７０ａ）は、第１溝壁に沿って延びるとともに、第２溝壁と対向する前記隆起部の第２側部（側部７０ｂ）は、第２溝壁に沿って延びることを要旨とする。
【００１９】
本発明の第８の特徴は、本発明の第７の特徴に係り、隆起部は、トレッド面視において、隆起部の前端部分（前端７０ｆ）及び後端部分（後端７０ｒ）に行くに連れて細くなることを要旨とする。
【００２０】
本発明の第９の特徴は、本発明の第６乃至８の特徴の何れかに係り、隆起部の高さ（隆起高さＨ70）は、主溝の深さ（主溝深さＨ１０）未満であることを要旨とする。
【発明の効果】
【００２１】
本発明の特徴によれば、主溝と交差する横溝の数を減らしつつ、排水性の低下及びパターンノイズの発生を抑制できる空気入りタイヤを提供することができる。
【図面の簡単な説明】
【００２２】
【図１】本発明の第１実施形態に係る空気入りタイヤを構成するトレッドの展開図である。
【図２】本発明の第１実施形態に係る空気入りタイヤを構成するトレッドの展開図の一部拡大図である。
【図３】本発明の比較例における空気入りタイヤを構成するトレッドの展開図である。
【図４】本発明の比較例における空気入りタイヤを構成するトレッドの展開図である。
【図５】本発明の第２実施形態に係る空気入りタイヤを構成するトレッドの展開図の一部拡大図である。
【図６】本発明の第２実施形態に係る空気入りタイヤを構成するトレッドの斜視図の一部拡大図である。
【図７】本発明の第２実施形態に係る空気入りタイヤを構成するトレッドの一部断面図である。
【発明を実施するための形態】
【００２３】
次に、本発明に係る第１実施形態、第２実施形態、その他の実施形態について、図面を参照しながら説明する。なお、以下の図面の記載において、同一または類似の部分には、同一または類似の符号を付している。ただし、図面は模式的なものであり、各寸法の比率などは現実のものとは異なることに留意すべきである。
【００２４】
したがって、具体的な寸法などは以下の説明を参酌して判断すべきものである。また、図面相互間においても互いの寸法の関係や比率が異なる部分が含まれていることは勿論である。
【００２５】
[第１実施形態]
第１実施形態においては、（１.１）空気入りタイヤの構成、（１.２）主溝の詳細構成、（１．３）比較評価、（１.４）作用・効果について説明する。
【００２６】
（１.１）空気入りタイヤの構成
図１は、本実施形態において空気入りタイヤ１を構成するトレッドの展開図である。空気入りタイヤ１におけるトレッド表面に形成される各部位について説明する。具体的には、（１．１．１）陸部、（１．１．２）主溝について説明する。
【００２７】
（１．１．１）陸部
空気入りタイヤ１は、タイヤ周方向Ｒに沿って延び、路面と接地する陸部１０と、陸部２０と、陸部３０と、陸部４０とを備える。
【００２８】
陸部１０は、トレッド幅方向ＷTR端部に主溝５０を形成する溝壁１０ａ（後述）を有する。陸部２０は、トレッド幅方向ＷTR端部に主溝５０を形成する溝壁２０ａ（後述）を有する。陸部３０及び陸部４０は、トレッド幅方向ＷTR外側に開口する横溝１１０を有する。
【００２９】
陸部１０及び陸部２０には、主溝５０と交差する横溝は、形成されていない。陸部１０及び陸部３０には、主溝６０と交差する横溝は、形成されていない。
【００３０】
（１．１．２）主溝
主溝は、トレッド部に少なくとも一対形成される。具体的には、空気入りタイヤ１は、陸部１０と陸部２０との間にタイヤ周方向Ｒに沿って延びる主溝５０を備える。空気入りタイヤ１は、陸部１０と陸部３０との間にタイヤ周方向Ｒに沿って延びる主溝６０を備える。空気入りタイヤ１は、陸部２０と陸部４０との間にタイヤ周方向Ｒに沿って延びる主溝１００を備える。
【００３１】
主溝５０は、タイヤの赤道線ＣＬ上に形成される。主溝６０及び主溝１００は、タイヤの赤道線ＣＬからトレッド幅方向ＷTR外側に形成される。主溝１００は、タイヤ周方向Ｒに沿って直線状に形成される。
【００３２】
（１.２）主溝の詳細構成
主溝５０の詳細構成について、説明する。具体的には、（１．２．１）溝壁、（１．２．２）溝幅、（１．２．３）主溝の振幅と周期、（１．２．４）主溝５０及び主溝６０の配置関係について、図１及び図２を用いて説明する。図２は、空気入りタイヤ１を構成するトレッドにおいて、主溝５０を拡大した展開図を示す。
【００３３】
なお、主溝６０の構成は、主溝５０と同様であるため、詳細な説明は省略する。
【００３４】
（１．２．１）溝壁
主溝５０は、陸部１０の溝壁１０ａ及び陸部２０の溝壁２０ａにより形成される。溝壁１０ａ及び溝壁２０ａは、トレッド面視において、タイヤ周方向Ｒに沿って蛇行する。溝壁１０ａ及び溝壁２０ａは、主溝５０の中心線を軸に対称に設けられる。
【００３５】
（１．２．２）溝幅
主溝５０は、トレッド幅方向ＷTRに沿って所定の周期で変化する溝幅を有する。具体的には、主溝５０の溝幅は、溝壁１０ａ上の任意の点から、溝壁２０ａまでのトレッド幅方向ＷTRの距離を示す。
【００３６】
主溝５０の溝幅の最小幅部分Ｗ50MINと、主溝５０の溝幅の最大幅部分Ｗ50MAXとの比W50MIN/Ｗ50MAXは、３５％〜８５％の範囲である。
【００３７】
（１．２．３）主溝の振幅と周期
図２に示すように、主溝５０の溝幅は、タイヤ周方向Ｒに沿って周期λで変化する。
【００３８】
溝壁１０ａ及び溝壁２０ａは、トレッド面視において、タイヤ周方向Ｒに沿って周期λで変化する。
【００３９】
溝壁１０ａ及び溝壁２０ａは、トレッド幅方向ＷTRに沿って振幅ａを有する。
【００４０】
主溝５０の溝幅におけるタイヤ周方向Ｒの周期であり、溝壁１０ａ及び溝壁２０ａのタイヤ周方向Ｒの周期である周期λと、振幅ａとの関係は、周期λが、振幅ａの１５倍〜１００倍である。
【００４１】
溝壁１０ａ及び溝壁２０ａは、最小幅部分Ｗ50MINを周期λの開始点とした場合、最大幅部分Ｗ50MAXを境に、前側と、後側とで対称の形状に設けられる。  
タイヤ転動時に、路面と接地するトレッドのタイヤ周方向Ｒの長さであるトレッド長と、主溝５０の周期λとの関係は、トレッド長が、周期λの０．５〜２０倍である。
【００４２】
（１．２．４）主溝５０及び主溝６０の配置関係
主溝５０における溝幅の最大幅部分Ｗ50MAXの位置は、主溝６０における溝幅の最大幅部分W60MAXの位置とタイヤ周方向Ｒにおいて異なる。主溝５０における溝幅の最大幅部分Ｗ50MAXの位置は、主溝６０における溝幅の最小幅部分W60MINの位置とタイヤ周方向Ｒにおいて略同一である。  
主溝５０における周期λの開始点と、主溝６０における周期λの開始点とは、周期λの半周期ずれている。
【００４３】
（１．３）比較評価
次に、本発明の効果を更に明確にするために、以下の比較例及び実施例に係る空気入りタイヤを用いて行った比較評価について説明する。具体的には、（１．３．１）評価方法、（１．３．２）評価結果について説明する。なお、本発明はこれらの例によって何ら限定されるものではない。
【００４４】
（１．３．１）評価方法
３種類の空気入りタイヤを用いて、パターンノイズ、ハイドロプレーニング性能について評価を行った。
【００４５】
空気入りタイヤに関するデータは、以下に示す条件において測定された。
【００４６】
・ タイヤサイズ  ：２２５／４５Ｒ１７
・ リムホイールサイズ  ：１７×７J
・ タイヤの種類  ：ノーマルタイヤ（スタッドレスタイヤ以外のタイヤ）
・ 車種  ：国産車セダン
・ 荷重条件  ：６００Ｎ＋ドライバーの体重
・ 測定方法  ：    
パターンノイズ  ：乾燥した路面において、サーキット及び一般道を走行し、ドライバーが評価
ハイドロプレーニング性能  :水深１０mmにおいて、ハイドロプレーニングが発生した速度を測定
パターンノイズの評価結果については、比較例１の空気入りタイヤ２において、ドライバーが感じたノイズを１００として、指数化して表示した。
【００４７】
ハイドロプレーニング性能の評価結果については、比較例１の空気入りタイヤ２においてハイドロプレーニングが発生した速度を１００として、指数化して表示した。
【００４８】
比較例１及び比較例２で用いた空気入りタイヤ２,３のトレッドの展開図を図３及び図４に示す。
【００４９】
図３に示すように、比較例１の空気入りタイヤ２は、実施例の空気入りタイヤ１と比較して、主溝１０１及び主溝１０２の構成が異なる。具体的には、主溝１０１及び主溝１０２を形成する陸部１１、陸部２１、陸部３１の溝壁は、蛇行しておらず、タイヤ周方向Rに沿って略直線状に形成されている点で、図１に示す実施例の空気入りタイヤ１の主溝５０の溝壁１０ａと異なる。
【００５０】
図４に示すように、比較例２の空気入りタイヤ３は、実施例の空気入りタイヤ１と比較して、主溝５０及び主溝６０（主溝６２）の配置関係が異なる。
【００５１】
具体的には、空気入りタイヤ３は、主溝５０における周期λの開始点と、主溝６２における周期λの開始点とが、一致しており、溝幅の最大幅部分Ｗ50MAXの位置は、主溝６０における溝幅の最大幅部分W60MAXの位置とタイヤ周方向Ｒにおいて略同一である点で、図１に示す実施例の空気入りタイヤ１の主溝５０の及び主溝６０の配置関係と異なる。
【００５２】
（１．３．２）評価結果
各空気入りタイヤの評価結果について、表１を参照しながら説明する。
【表１】
2010179895.tif 000003
【００５３】
この結果、比較例２に係る空気入りタイヤ３は、比較例１に係る空気入りタイヤ２と比べて、優れたハイドロプレーニング性能を備えているが、パターンノイズの発生を抑制できていない。
【００５４】
実施例に係る空気入りタイヤ１は、比較例１、２に係る空気入りタイヤ２及び空気入りタイヤ３に比べて、パターンノイズの発生を抑制しつつ、優れたハイドロプレーニング性能を備えることが分かる。
【００５５】
（１.４）作用・効果
以上説明したように、本実施形態に係る空気入りタイヤ１によれば、主溝５０内には、溝壁１０ａ及び溝壁２０ａに沿った水の流れである流線Ｓ10a及び流線S20aが発生する。溝壁１０ａ及び溝壁２０ａに沿って流れる水は、最大幅部分W50MAXを通過後、主溝５０の溝幅の減少に伴い、最小幅部分Ｗ50MINにおいて流線Ｓ10a及び流線S20aの延長線方向へ排水される。
【００５６】
本実施形態では、トレッド幅方向ＷTRの主溝５０の溝幅は、周期λで変わるため、主溝５０内を流れる水の流れは、周期λでトレッド幅方向ＷTRの幅が変わる。
【００５７】
つまり、主溝５０内の水は、周期λで脈動し、最小幅部分Ｗ50MINにおいて、流線Ｓ10a及び流線S20aの延長線方向へ排水される。このため、空気入りタイヤ１は、主溝５０内を流れる水を主溝５０の外側に排水できる。
【００５８】
本実施形態では、トレッド幅方向ＷTRの主溝５０の溝幅が変化することに伴い振動が発生し、空気入りタイヤ１から発生するパターンノイズが懸念される。
【００５９】
しかしながら、本実施形態では、主溝５０及び主溝６０が、トレッドに対に形成され、主溝５０の最大幅部分W50MAXの位置は、主溝６０の最大幅部分W60MAXの位置とタイヤ周方向Ｒにおいて異なるため、主溝５０及び主溝６０において、溝幅が変化することに伴い発生する振動を互いに打ち消し合うことができる。このため、空気入りタイヤ１全体では、振動の発生を低減し、パターンノイズの発生を抑制できる。
【００６０】
従って、このような空気入りタイヤ１によれば、主溝と交差する横溝の数を減らしつつ、排水性の低下及びパターンノイズの発生を抑制できる。
【００６１】
本実施形態では、主溝５０の最小幅部分W50MINと、最大幅部分W50MAXとの比W50MIN/W50MAXは、３５％〜８５％の範囲であるため、最小幅部分W50MINで、溝壁１０ａ及び溝壁２０ａに沿った流れと、タイヤ周方向Ｒに沿った流れが効果的に集中するため、主溝５０内の水は、効果的に脈動し、排水性の低下を更に抑制できる。
【００６２】
本実施形態では、主溝５０における周期λの開始点と、主溝６０における周期λの開始点とは、周期λの半周期ずれているため、タイヤ転動時に、主溝５０及び主溝６０を流れる水は、交互に脈動し、交互に排水される。また、主溝５０及び主溝６０において、振動の発生を半周期ずらすことができるため、空気入りタイヤ１全体では、振動の発生を更に低減し、パターンノイズの発生を更に抑制できる。
【００６３】
本実施形態では、溝壁１０ａ及び溝壁２０ａは、トレッド幅方向ＷTRに沿って振幅ａを有し、周期λは、振幅ａの１５倍〜１００倍であるため、主溝５０内を流れる水を効果的に主溝５０の外側に排水できるため、排水性の低下を更に抑制できる。
【００６４】
なお、周期λは、振幅ａの１５倍以上であることにより最小幅部分W50MINで、溝壁１０ａ及び溝壁２０ａに沿った流れと、周方向の流れが過剰に集中することを充分に抑制できる。また、周期λは、振幅ａの１００倍以下であることにより、主溝５０内の水は、充分に脈動することができ、主溝５０内を流れる水を効果的に主溝５０の外側に排水できる。
【００６５】
本実施形態では、トレッド長は、主溝５０の周期λの０．５倍以上であることにより、主溝５０は、タイヤ転動時に、タイヤ周方向Ｒに沿って、脈動するのに充分な数だけ接地する。このため、主溝５０内を流れる水を効果的に主溝５０の外側に排水できる。
【００６６】
また、トレッド長は、主溝５０の周期λの２０あ倍以下であることにより、主溝５０内には、溝壁１０ａ及び溝壁２０ａに沿った水の流れが発生するため、主溝５０内を流れる水を効果的に主溝５０の外側に排水できる。
【００６７】
なお、上述した（１．４）作用・効果では、主に主溝５０の排水性について、記載したが、主溝６０についても、同様の構成であるため、主溝５０と同様の作用・効果が生じる。
【００６８】
[第２実施形態]
上述した第１実施形態では、空気入りタイヤ１の主溝５０において、溝壁１０ａ及び溝壁２０ａが、タイヤ周方向に沿って蛇行し、主溝５０内を流れる水を周期的に主溝５０の外側に排水できるため、空気入りタイヤ１は、排水性の低下を抑制していた。
【００６９】
第２実施形態では、主溝において、幅広部を形成し、幅広部にタイヤ径方向外側に向かって隆起する隆起部を備える構成について説明する。
【００７０】
具体的には、第２実施形態においては、（２.１）主溝の詳細構成、（２.２）作用・効果、について、図５乃至７を参照しながら説明する。
【００７１】
図５は、第２実施形態において、空気入りタイヤ4を構成するトレッドの一部展開図である。また、図６は、第２実施形態に係る空気入りタイヤ４を示す一部断面斜視図である。また、図７は、第２実施形態に係る空気入りタイヤ4を示す断面図（図５及び図６のＡ−Ａ’断面図）である。
【００７２】
なお、以下の第２実施形態においては、第１実施形態と異なる点を主に説明し、重複する説明を省略する。
【００７３】
（２.１）主溝の詳細構成
図５に示すように、主溝５０は、最大幅部分W50MAXを含む幅広部５０Ａを形成する。同様に、主溝５０は、最小幅部分W50MINを含む幅狭部５０Ｂを形成する。主溝５０は、タイヤ周方向Ｒに幅広部５０Ａと、幅狭部５０Ｂとを交互に形成する。
【００７４】
図６に示すように、主溝５０の底部である底部５０btmには、タイヤ径方向外側に向かって隆起する隆起部７０が形成される。隆起部７０は、幅広部５０Ａに形成される。
【００７５】
隆起部７０は、トレッド面視において、タイヤ周方向Ｒに沿って、縦長に形成されている。具体的には、隆起部７０は、トレッド面視において、タイヤ周方向Ｒの端部である前端７０ｆ及び後端７０ｒに行くに連れて細くなる。
【００７６】
主溝５０を形成する溝壁１０ａと対向する隆起部７０の側部７０ａは、溝壁１０ａに沿って延びる。主溝５０を形成する溝壁２０ａと対向する隆起部７０の側部７０ｂは、溝壁２０ａに沿って延びる。
【００７７】
隆起部７０は、トレッド面視において、主溝５０の中心線を軸に対称に設けられる。
【００７８】
図７に示すように、隆起部７０の高さである隆起高さＨ70は、底部５０btmからタイヤ径方向に沿った高さである。隆起高さＨ70は、主溝５０の深さである主溝深さＨ１０未満である。
【００７９】
（２.２）作用・効果
以上説明したように、本実施形態では、隆起部７０は、最大幅部分W50MAXを含む幅広部５０Ａの底部５０btmに、タイヤ径方向外側に向かって隆起するように形成されるため、幅広部５０Ａ内を流れる水は、隆起部７０により、溝壁１０ａ及び溝壁２０ａに沿って流れやすくなる。つまり、隆起部７０により、主溝５０の外側に排水でき、排水性の低下を更に抑制できる。
【００８０】
本実施形態では、側部７０ａは、溝壁１０ａに沿って延び、側部７０ｂは、溝壁２０ａに沿って延びるため、幅広部５０Ａ内を流れる水は、溝壁１０ａ及び溝壁２０ａに沿って更に流れやすくなる。このため、排水性の低下を更に抑制できる。
【００８１】
本実施形態では、隆起部７０は、トレッド面視において、前端７０ｆ及び後端７０ｒに行くに連れて細くなるため、幅広部５０Ａ内を流れる水は、隆起部７０により急激に流れを変更されることなく、効果的に、溝壁１０ａ及び溝壁２０ａに沿って流れやすくなる。
【００８２】
本実施形態では、隆起部７０は、トレッド面視において、主溝５０の中心線を軸に対称に設けられるため、幅広部５０Ａ内を流れる水は、隆起部７０により溝壁１０ａ及び溝壁２０ａに沿って均等に流れやすくなる。
【００８３】
本実施形態では、隆起高さＨ70は、主溝深さＨ１０未満であるため、幅広部５０Ａ内には、タイヤ周方向Ｒに沿った水の流れが、充分に確保される。
【００８４】
[その他の実施形態]
上述したように、本発明の実施形態を通じて本発明の内容を開示したが、この開示の一部をなす論述及び図面は、本発明を限定するものであると理解すべきではない。この開示から当業者には様々な代替実施の形態、実施例及び運用技術が明らかとなろう。
【００８５】
例えば、本発明の実施形態は、次のように変更することができる。
【００８６】
上述した実施形態では、主溝５０における周期λの開始点と、主溝６０における周期λの開始点とは、周期λの半周期ずれているが、対になる主溝の周期は、半周期ずれている必要はなく、例えば、１/３周期ずれていてもよい。
【００８７】
上述した実施形態では、主溝５０の溝幅における周期λと、主溝６０の溝幅における周期λとは、同じ周期λであるが、対になる主溝の溝幅における周期は、異なっていてもよい。
【００８８】
上述した実施形態では、主溝５０を形成する溝壁１０ａ及び溝壁２０ａにおける周期λと、主溝６０を形成する溝壁における周期λとは、同じ周期λであるが、対になる主溝の溝壁の周期は、異なっていてもよく、蛇行する形状が異なっていてもよい。
【００８９】
上述した実施形態では、溝壁１０ａ及び溝壁２０ａは、トレッド面視において、タイヤ周方向Ｒに沿って連続して蛇行しているが、溝壁は、連続的に蛇行している必要はなく、例えば、一部がタイヤ周方向Ｒに沿って直線状に設けられていてもよい。
【００９０】
上述した実施形態では、溝壁１０ａ及び溝壁２０ａは、トレッド面視において、タイヤ周方向Ｒに沿って所定の繰り返し周期で変化し、一周期内において、最大幅部分WMAXを境にした場合、前側と、後側とで対称の形状に設けられている。しかしながら、溝壁１０ａ及び溝壁２０ａは、一周期内において、最大幅部分WMAXを境にした場合、前側と、後側とで対称の形状に設けられている必要はなく、例えば、後側で溝幅が急激に狭くなるような形状に設けられていてもよい。
【００９１】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【符号の説明】
【００９２】
１、2、3…空気入りタイヤ、  １０、２０、３０…陸部、１０ａ、、２０ａ…溝壁
５０、６０…主溝、  ５０btm…底部、  １１０…横溝、５１Ａ…幅広部、５１Ｂ…幅狭部、
７０…隆起部、  ７０ａ、７０b…側部  ７０ｆ…前端  ７０ｒ…後端
【図１】
2010179895.tif 000004
【図２】
2010179895.tif 000005
【図３】
2010179895.tif 000006
【図４】
2010179895.tif 000007
【図５】
2010179895.tif 000008
【図６】
2010179895.tif 000009
【図７】
2010179895.tif 000010